(57)【特許請求の範囲】
【請求項１】
故障が発生した装置について故障時の状態を示す第１状態データ、当該故障が発生する前の正常時の状態を示す第２状態データ及び当該故障が発生した後の正常時の状態を示す第３状態データが記憶された記憶手段と、
前記記憶手段に記憶された第１状態データ、第２状態データ及び第３状態データを機械学習する学習手段と、
故障が発生した装置から第１状態データを受信する受信手段と、
前記受信手段が第１状態データを受信すると、当該第１状態データを送信してきた装置の第２状態データと前記学習手段による学習結果とに基づいて、当該装置の故障を直すために保守員を派遣する必要があるか否かを判定する判定手段と、
を備えた復旧支援システム。
【請求項２】
装置の故障を直すために保守員を派遣する必要がないと前記判定手段によって判定されると、当該故障を直すために必要な動作を行なわせるための指令を、当該装置に送信する送信手段を更に備えた請求項１に記載の復旧支援システム。
【請求項３】
前記受信手段は、前記送信手段が指令を送信した装置から第３状態データを受信し、
前記判定手段は、前記学習手段による学習結果と前記送信手段が指令を送信した装置から前記受信手段が受信した第３状態データとに基づいて、当該装置の故障を直すために保守員を派遣する必要があるか否かを再判定する請求項２に記載の復旧支援システム。
【請求項４】
前記記憶手段に、故障が発生した装置について故障前の正常な状態から故障が発生するまでの運転内容を示す運転データが記憶され、
前記学習手段は、前記記憶手段に記憶された第１状態データ、第２状態データ、第３状態データ及び運転データを機械学習し、
前記受信手段は、故障が発生した装置から運転データを受信し、
前記判定手段は、前記受信手段が第１状態データを受信すると、当該第１状態データを送信してきた装置から前記受信手段が受信した運転データにも基づいて、当該装置の故障を直すために保守員を派遣する必要があるか否かを判定する請求項１に記載の復旧支援システム。
【請求項５】
装置の故障を直すために保守員を派遣する必要がないと前記判定手段によって判定されると、当該故障を直すために必要な動作を行なわせるための第１指令を、当該装置に送信する送信手段を更に備えた請求項４に記載の復旧支援システム。
【請求項６】
第２判定手段を更に備え、
前記送信手段は、第１指令を送信した装置に対し、当該装置で故障発生時に行われた動作と同じ動作或いは予め定められた動作を行わせるための第２指令を送信し、
前記受信手段は、前記送信手段が第２指令を送信した装置から、第２指令に基づく動作が行われた時の状態を示す第４状態データを受信し、
前記第２判定手段は、前記受信手段が受信した第４状態データに基づいて、当該第４状態データを送信してきた装置が正常であるか否かを判定する請求項５に記載の復旧支援システム。
【請求項７】
装置が正常であるか否かを前記第２判定手段が判定するための基準を生成する生成手段を更に備えた請求項６に記載の復旧支援システム。
【請求項８】
前記送信手段は、第１指令を送信した装置に対し、当該装置で故障発生時に行われた動作と同じ動作を行わせるための第２指令を送信し、
前記生成手段は、前記送信手段が第２指令を送信した装置から前記受信手段が過去に受信した複数の状態データに基づいて、当該装置で第２指令に基づく動作と同じ動作が行われ且つ故障が発生した時の状態を示す状態データを生成する請求項７に記載の復旧支援システム。
【請求項９】
前記送信手段は、第２指令を送信した装置以外の装置に対し、第２指令に基づく動作と同じ動作を行わせるための第３指令を送信し、
前記受信手段は、前記送信手段が第３指令を送信した装置から、第３指令に基づく動作が行われた時の状態を示す第５状態データを受信し、
前記生成手段は、前記受信手段が受信した第５状態データに基づいて前記基準を生成する請求項７に記載の復旧支援システム。
【発明の詳細な説明】
【技術分野】
【０００１】
この発明は、復旧支援システムに関する。
【背景技術】
【０００２】
特許文献１に、地震が発生した後に、エレベーター装置を遠隔で復旧させるためのシステムが記載されている。特許文献１に記載されたシステムでは、地震によってエレベーター装置の運転が停止すると、運転が停止したことを示す信号とかごの状態を示す信号とが監視センターに送信される。監視センターでは、受信した信号が表示器に表示される。監視センターの監視者は、表示器に表示された内容を見て、地震感知器をリセットするための信号を送信する。
【先行技術文献】
【特許文献】
【０００３】
【特許文献１】日本特開２００７−２５４０３９号公報
【発明の概要】
【発明が解決しようとする課題】
【０００４】
特許文献１は、地震によって運転が停止したエレベーター装置を復旧させるためのシステムを開示する。地震によって運転が停止した場合、エレベーター装置では故障が発生していないことが多い。このため、地震感知器をリセットすることによって簡単にエレベーター装置を復旧させることができる。【０００５】
一方、エレベーター装置では故障が発生する。エレベーター装置で故障が発生した場合は、発生した故障に対応する作業を行う必要がある。この作業には、エレベーター装置の再起動といった極簡単な作業も含まれる。従来では、エレベーター装置で故障が発生した際に、その故障を直すために保守員を派遣する必要があるか否かを精度良く判定することができなかった。このため、エレベーター装置で故障が発生すると、保守員が現場に急行し、適切な作業を行っていた。【０００６】
このような問題は、故障が発生した際に保守員の派遣が必要になる他の装置でも同様に発生し得る。【０００７】
この発明は、上述のような課題を解決するためになされた。この発明の目的は、装置で故障が発生した場合に、その装置の故障を直すために保守員を派遣する必要があるか否かを精度良く判定できる復旧支援システムを提供することである。
【課題を解決するための手段】
【０００８】
この発明に係る復旧支援システムは、故障が発生した装置について故障時の状態を示す第１状態データ、当該故障が発生する前の正常時の状態を示す第２状態データ及び当該故障が発生した後の正常時の状態を示す第３状態データが記憶された記憶手段と、記憶手段に記憶された第１状態データ、第２状態データ及び第３状態データを機械学習する学習手段と、故障が発生した装置から第１状態データを受信する受信手段と、受信手段が第１状態データを受信すると、当該第１状態データを送信してきた装置の第２状態データと学習手段による学習結果とに基づいて、当該装置の故障を直すために保守員を派遣する必要があるか否かを判定する判定手段と、を備える。
【発明の効果】
【０００９】
この発明に係る復旧支援システムは、例えば学習手段と判定手段とを備える。学習手段は、記憶手段に記憶された第１状態データ、第２状態データ及び第３状態データを機械学習する。判定手段は、受信手段が第１状態データを受信すると、当該第１状態データを送信してきた装置の第２状態データと学習手段による学習結果とに基づいて、当該装置の故障を直すために保守員を派遣する必要があるか否かを判定する。この発明に係る復旧支援システムであれば、装置で故障が発生した場合に、その装置の故障を直すために保守員を派遣する必要があるか否かを精度良く判定できる。
【図面の簡単な説明】
【００１０】
【図１】この発明の実施の形態１における復旧支援システムの例を示す図である。
【図２】この発明の実施の形態１における復旧支援システムの動作例を示すフローチャートである。
【図３】記憶部に記憶されたトレースデータの例を示す。
【図４】この発明の実施の形態１における復旧支援システムの他の動作例を示すフローチャートである。
【図５】判定部の機能を説明するための図である。
【図６】判定部の他の機能を説明するための図である。
【図７】この発明の実施の形態１における復旧支援システムの他の動作例を示すフローチャートである。
【図８】判定部の他の機能を説明するための図である。
【図９】この発明の実施の形態２における復旧支援システムの例を示す図である。
【図１０】この発明の実施の形態２における復旧支援システムの他の例を示す図である。
【図１１】この発明の実施の形態２における復旧支援システムの他の動作例を示すフローチャートである。
【図１２】生成部及び判定部の機能を説明するための図である。
【図１３】生成部及び判定部の他の機能を説明するための図である。
【図１４】生成部の他の機能を説明するための図である。
【図１５】生成部の他の機能を説明するための図である。
【図１６】この発明の実施の形態２における復旧支援システムの他の動作例を示すフローチャートである。
【図１７】監視センターのハードウェア構成を示す図である。
【発明を実施するための形態】
【００１１】
添付の図面を参照し、本発明を説明する。重複する説明は、適宜簡略化或いは省略する。各図において、同一の符号は同一の部分又は相当する部分を示す。
【００１２】
実施の形態１．
図１は、この発明の実施の形態１における復旧支援システムの例を示す図である。監視センター１は、遠隔の多数のエレベーター装置と通信が可能である。各エレベーター装置は、例えばかご２及びつり合いおもり３を備える。かご２及びつり合いおもり３は、主ロープ４によって昇降路に吊り下げられる。巻上機は、例えば駆動綱車５及び電動機６を備える。駆動綱車５に主ロープ４が巻き掛けられる。駆動綱車５は、電動機６によって駆動される。電動機６は、制御装置７によって制御される。制御装置７に通信装置８が接続される。通信装置８は外部の機器と通信する。各エレベーター装置は、通信装置８によって監視センター１と通信する。
【００１３】
エレベーター装置では、各種信号値のスナップショット、即ちトレースデータが通信装置８によって取得される。トレースデータには、例えば状態データと運転データとが含まれる。状態データは、エレベーター装置のその時の状態を示すデータである。例えば、電動機６の速度を示す信号が状態データとしてトレースデータに含まれる。電動機６のトルクを示す信号が状態データとしてトレースデータに含まれる。かご２の位置を示す信号が状態データとしてトレースデータに含まれる。温度計によって計測された温度を示す信号が状態データとしてトレースデータに含まれる。
【００１４】
運転データは、エレベーター装置で行われた運転の内容を示すデータである。例えば、制御装置７から電動機６に対する指令を示す信号が運転データとしてトレースデータに含まれる。制御装置７から他の駆動機に対する指令を示す信号が運転データとしてトレースデータに含まれる。トレースデータに含まれる信号は上記例に限定されない。例示した信号の一部がトレースデータに含まれなくても良い。トレースデータに他の信号が含まれても良い。
【００１５】
トレースデータには、０又は１のビット列で表される信号、１６進数の数値列で表される信号及び１０進数の数値列で表される信号が混在しても良い。トレースデータに、いろいろな信号長の信号が混在しても良い。トレースデータに、デジタル値とアナログ値が混在しても良い。
【００１６】
エレベーター装置では、通信装置８が常時或いは定期的にトレースデータを取得する。また、通信装置８は、エレベーター装置で故障が発生すると、故障が発生した時のトレースデータを取得する。通信装置８は、トレースデータを取得すると、取得したトレースデータを監視センター１に送信する。
【００１７】
監視センター１は、例えば記憶部９、受信部１０、学習部１１、判定部１２、送信部１３及び報知制御部１４を備える。以下に、図２から図６も参照し、本復旧支援システムの機能及び動作について詳細に説明する。図２は、この発明の実施の形態１における復旧支援システムの動作例を示すフローチャートである。図２は、復旧支援システムの学習機能の例を示す。
【００１８】
監視センター１では、トレースデータを受信したか否かが判定される（Ｓ１０１）。監視センター１には、監視センター１と通信可能なエレベーター装置から例えば定期的にトレースデータが送信される。また、何れかのエレベーター装置で故障が発生すると、そのエレベーター装置から監視センター１にトレースデータが送信される。各エレベーター装置から送信されたトレースデータは、監視センター１において受信部１０によって受信される（Ｓ１０１のＹｅｓ）。受信部１０によって受信されたトレースデータは、記憶部９に記憶される（Ｓ１０２）。受信部１０は、多数のエレベーター装置からトレースデータを受信する。記憶部９には、トレースデータが蓄積されていく。
【００１９】
図３は、記憶部９に記憶されたトレースデータの例を示す。図３の黒丸は、あるエレベーター装置で故障Ａが発生した時及びその前後に取得された状態データｘの値を示す。ｘの値は、１つの状態データの値でも良いし、複数の状態データから得られる評価値でも良い。図３の黒三角は、あるエレベーター装置で故障Ｂが発生した時及びその前後に取得された状態データｘの値を示す。
【００２０】
上述したように、エレベーター装置で故障が発生すると、そのエレベーター装置から監視センター１にトレースデータが送信される。このため、記憶部９には、エレベーター装置の故障時の状態を示す状態データが記憶される。以下においては、エレベーター装置の故障時の状態を示す状態データのことを第１状態データともいう。図３は、時刻ｔ１に故障Ａが発生した例を示す。図３は、時刻ｔ１及びその後の時刻ｔ２で故障Ｂが発生した例を示す。図３では、理解を容易にするため、故障Ａが発生した時刻と故障Ｂが１回目に発生した時刻とを同じ時刻に合わせている。
【００２１】
上述したように、エレベーター装置では、通信装置８が常時或いは定期的にトレースデータを取得する。このため、記憶部９には、エレベーター装置で故障が発生した場合に、その故障が発生する前の正常時の状態を示す状態データが記憶される。以下においては、故障が発生する前の正常時の状態を示す状態データのことを第２状態データともいう。図３に示す例では、時刻ｔ１より前に取得された状態データは、第２状態データである。
【００２２】
図３は、時刻ｔ１で故障Ａが発生した直後にエレベーター装置が復旧された例を示す。同様に、図３は、時刻ｔ１で故障Ｂが発生した直後にエレベーター装置が復旧された例を示す。記憶部９には、エレベーター装置で故障が発生した場合に、その故障が発生した後の正常時の状態を示す状態データが記憶される。以下においては、故障が発生した後の正常時の状態を示す状態データのことを第３状態データともいう。図３に示す例では、黒丸で示す状態データのうち時刻ｔ１より後に取得された状態データは、第３状態データである。時刻ｔ１に発生した故障Ｂに対しては、黒三角で示す状態データのうち、時刻ｔ１より後で時刻ｔ２より前に取得された状態データは、第３状態データである。故障Ｂは時刻ｔ２にも発生している。時刻ｔ２に発生した故障Ｂに対しては、黒三角で示す状態データのうち、時刻ｔ１より後で時刻ｔ２より前に取得された状態データは、第２状態データである。
【００２３】
学習部１１は、記憶部９に記載された状態データを機械学習する。監視センター１では、学習タイミングか否かが判定される（Ｓ１０３）。学習タイミングは、予め設定される。Ｓ１０３で学習タイミングであると判定されると、学習部１１による機械学習が行われ、学習結果が出力される（Ｓ１０４）。
【００２４】
本実施の形態に示す例では、学習部１１は、記憶部９に記載された第１状態データ、第２状態データ及び第３状態データを機械学習する。例えば、学習部１１は、階層型クラスタリング或いはｋ−ｍｅａｎｓといった教師なし学習の手法を利用し、状態データのパターン分類を行う。図３に示す例であれば、学習部１１は、故障Ａが発生した時の状態データのパターンと故障Ｂが発生した時の状態データのパターンとを特定する。学習部１１は、分類したパターン毎に、故障が次回発生するまでの平均時間或いは状態データの分散等を学習結果として出力しても良い。
【００２５】
図４は、この発明の実施の形態１における復旧支援システムの他の動作例を示すフローチャートである。図４は、復旧支援システムの判定機能の例を示す。
【００２６】
監視センター１では、故障が発生したエレベーター装置からトレースデータを受信したか否かが判定される（Ｓ２０１）。何れかのエレベーター装置で故障が発生すると、そのエレベーター装置の通信装置８から監視センター１にトレースデータが送信される。通信装置８から送信されたトレースデータは、監視センター１において受信部１０によって受信される（Ｓ２０１のＹｅｓ）。Ｓ２０１で受信部１０によって受信されたトレースデータには、第１状態データが含まれる。
【００２７】
受信部１０によって故障時のトレースデータが受信されると、判定部１２は、そのトレースデータを送信してきたエレベーター装置の故障を直すために保守員を派遣する必要があるか否かを判定する（Ｓ２０２）。判定部１２は、そのエレベーター装置の第２状態データと学習部１１による学習結果とに基づいて上記判定を行う。エレベーター装置の第２状態データは、その装置で故障が発生する前に記憶部９に記憶されている。
【００２８】
図５は、判定部１２の機能を説明するための図である。図５に黒四角で示す状態データのうち時刻ｔ１に取得された状態データは、Ｓ２０１で受信部１０が受信した第１状態データである。図５に黒四角で示す状態データのうち時刻ｔ１より前に取得された状態データは、第２状態データである。判定部１２は、例えば、今回故障が発生したエレベーター装置の第２状態データのパターンが、学習部１１で分類されたどのパターンに最も近いかを特定する。
【００２９】
図５は、図３に示す例に黒四角で示す状態データを追加したものに相当する。図５に示す例であれば、判定部１２は、今回故障が発生したエレベーター装置の第２状態データのパターンが、故障Ａが発生した時の第２状態データのパターンと故障Ｂが発生した時の第２状態のパターンのどちらに近いかを判定する。図５に示す例であれば、判定部１２は、今回故障が発生したエレベーター装置の第２状態データのパターンは故障Ａが発生した時の第２状態データのパターンに近いと判定する。
【００３０】
図５に黒丸で示されているように、故障Ａが発生する前の状態データの値は、値ｘ１から値ｘ２の間に入っている。また、故障Ａが発生して自動復旧された後の正常時の状態データの値も、値ｘ１から値ｘ２の間に入っている。故障Ａが発生して自動復旧された後に、故障Ａは再び発生していない。判定部１２は、今回故障が発生したエレベーター装置の第２状態データのパターンが故障Ａが発生した時の第２状態データのパターンに近いと特定できれば、自動復旧が可能であり、保守員を派遣する必要はないと判定する。
【００３１】
一方、図５に黒三角で示されているように、故障Ｂが発生する前の状態データの値は、時刻ｔ３では値ｘ１より大きな値であるが、時刻ｔ４で値ｘ１を下回る。状態データの値は、その後も時刻ｔ１に近づくに従って低下する。また、例えば故障Ｂが発生して自動復旧された直後の正常時の状態データの値は、値ｘ１より低い値までしか戻っていない。状態データの値は、その後も時刻ｔ２に近づくに従って低下する。判定部１２は、今回故障が発生したエレベーター装置の第２状態データのパターンが故障Ｂが発生した時の第２状態データのパターンに近いと特定できれば、例えば経年劣化による故障がエレベーター装置に発生した可能性があるため、保守員を派遣する必要があると判定する。
【００３２】
図６は、判定部１２の他の機能を説明するための図である。図６は、図５に示す例と比較して、黒四角で示す状態データの値が異なる例に相当する。図６に黒四角で示す状態データのうち時刻ｔ１に取得された状態データは、Ｓ２０１で受信部１０が受信した第１状態データである。
【００３３】
図６に示す例では、黒四角で示す第２状態データの値は、値ｘ１から値ｘ２の間に入っていない。しかし、黒四角で示す第２状態データの値は、黒三角で示す第２状態データほど時間の経過とともに低下していない。図６に示す例では、図５に示す例のように、今回故障が発生したエレベーター装置の第２状態データのパターンが故障Ａが発生した時の第２状態データのパターンに近いと明確に特定することはできない。このような場合に備え、判定部１２は、今回故障が発生したエレベーター装置の第２状態データのパターンが学習部１１で分類された各パターンに属する確率を特定しても良い。判定部１２は、保守員を派遣する必要があるか否かを判定するとともに、特定した確率を出力しても良い。判定部１２は、エレベーター装置で故障が次回発生するまでの時間或いは一定時間内に再度故障が発生する確率等を出力しても良い。
【００３４】
例えば、図６に示す例において、今回故障が発生したエレベーター装置の第２状態データのパターンが故障Ａが発生した時の第２状態データのパターンに属する確率をＰ（Ａ）とする。同様に、今回故障が発生したエレベーター装置の第２状態データのパターンが故障Ｂが発生した時の第２状態データのパターンに属する確率をＰ（Ｂ）とする。故障Ａが発生した後に故障Ａが再度発生するまでの平均時間をＴ（Ａ）とする。故障Ｂが発生した後に故障Ｂが再度発生するまでの平均時間をＴ（Ｂ）とする。判定部１２は、例えば次式を用いることにより、エレベーター装置で次回故障が発生するまでの時間Ｔ（Ｎ）を算出できる。
Ｔ（Ｎ）＝Ｐ（Ａ）×Ｔ（Ａ）＋Ｐ（Ｂ）×Ｔ（Ｂ）
【００３５】
保守員を派遣する必要はないと判定部１２によって判定されると、報知制御部１４は、判定部１２がＳ２０２で判定した結果を報知器１７から報知させる（Ｓ２０３）。報知器１７は、例えば監視センター１に備えられる。また、保守員を派遣する必要はないと判定部１２によって判定されると、送信部１３は、故障を直すために必要な動作を行なわせるための指令を、トレースデータを送信してきたエレベーター装置に送信する（Ｓ２０４）。当該指令を受信したエレベーター装置では、故障を直すために必要な動作が行われる。例えば、当該指令を受信したエレベーター装置では、再起動が行われる。
【００３６】
保守員を派遣する必要があると判定部１２によって判定されると、報知制御部１４は、判定部１２がＳ２０２で判定した結果を報知器１７から報知させる（Ｓ２０５）。また、保守員を派遣する必要があると判定部１２によって判定されると、送信部１３は、保守員の派遣指令を保守員の拠点等に対して送信する（Ｓ２０６）。
【００３７】
本実施の形態に示す例であれば、エレベーター装置で故障が発生した場合に、その装置の故障を直すために保守員を派遣する必要があるか否かを精度良く判定できる。特に、本実施の形態に示す例では、エレベーター装置の正常時の状態データと故障時の状態データの双方を用いた機械学習が行われる。このため、判定精度を向上させることができる。
【００３８】
図４に示す例では、Ｓ２０４において、故障を直すために必要な動作を行わせるための指令が自動的に送信される。これは一例である。Ｓ２０２でＮｏと判定された場合に、判定結果の報知のみを行っても良い。かかる場合、当該指令は監視者の判断によって送信される。
【００３９】
図４に示す例では、Ｓ２０６において、保守員の派遣要請が自動的に行われる。これは一例である。Ｓ２０２でＹｅｓと判定された場合に、判定結果の報知のみを行っても良い。かかる場合、保守員の派遣要請は監視者の判断によって行われる。
【００４０】
図４に示す例では、Ｓ２０２でＮｏと判定されると、Ｓ２０３の処理とＳ２０４の処理の双方が行われる。これは一例である。Ｓ２０４で指令の自動送信が行われる場合は、Ｓ２０３の処理は行われなくても良い。同様に、図４に示す例では、Ｓ２０２でＹｅｓと判定されると、Ｓ２０５の処理とＳ２０６の処理の双方が行われる。これは一例である。Ｓ２０６で保守員の派遣要請が自動的に行われる場合は、Ｓ２０５の処理は行われなくても良い。
【００４１】
図７は、この発明の実施の形態１における復旧支援システムの他の動作例を示すフローチャートである。図７は、復旧支援システムの判定機能の例を示す。図７のＳ３０１からＳ３０６に示す処理は、図４のＳ２０１からＳ２０６に示す処理と同じである。Ｓ３０２で保守員を派遣する必要はないと判定部１２によって判定されると、送信部１３は、故障を直すために必要な動作を行なわせるための指令を、トレースデータを送信してきたエレベーター装置に送信する（Ｓ３０４）。当該指令を受信したエレベーター装置では、故障を直すために必要な動作が行われる。例えば、当該指令を受信したエレベーター装置では、再起動が行われる。
【００４２】
監視センター１では、復旧したエレベーター装置からトレースデータを受信したか否かが判定される（Ｓ３０７）。即ち、監視センター１では、Ｓ３０４で指令が送信されたエレベーター装置から、第３状態データを受信したか否かが判定される。当該指令を受信したエレベーター装置が復旧すると、そのエレベーター装置の通信装置８から監視センター１にトレースデータが送信される。通信装置８から送信されたトレースデータは、監視センター１において受信部１０によって受信される（Ｓ３０７のＹｅｓ）。Ｓ３０７で受信部１０によって受信されたトレースデータには、第３状態データが含まれる。
【００４３】
復旧したエレベーター装置からトレースデータを受信すると、判定部１２は、そのトレースデータを送信してきたエレベーター装置の故障を直すために保守員を派遣する必要があるか否かを再判定する（Ｓ３０８）。判定部１２は、Ｓ３０７で受信部１０が受信した第３状態データと学習部１１による学習結果とに基づいて上記判定を行う。
【００４４】
図８は、判定部１２の他の機能を説明するための図である。図８は、図５に示す例に黒四角で示す第３状態データを１つ追加したものに相当する。Ｓ３０８で再判定が行われる場合は、その前にＳ３０２において保守員を派遣する必要はないと判定されている。しかし、図８に示す例では、Ｓ３０７で受信部１０が受信した第３状態データは、故障Ａから復旧したエレベーター装置の第３データより故障Ｂから復旧したエレベーター装置の第３データに近い。このため、判定部１２は、例えば経年劣化による故障が時刻ｔ１でエレベーター装置に発生していた可能性があると判定する。即ち、判定部１２は、Ｓ３０８において、保守員を派遣する必要があると判定する。
【００４５】
保守員を派遣する必要があるとＳ３０８で判定されると、報知制御部１４は、判定部１２がＳ３０８で判定した結果を報知器１７から報知させる（Ｓ３０５）。また、保守員を派遣する必要があると判定部１２によって判定されると、送信部１３は、保守員の派遣指令を保守員の拠点等に対して送信する（Ｓ３０６）。一方、保守員を派遣する必要はないとＳ３０８で判定されると、報知制御部１４は、判定部１２がＳ３０８で判定した結果を報知器１７から報知させる（Ｓ３０９）。
【００４６】
図７及び図８に示す例であれば、復旧後の第３状態データも利用して、判定精度を更に向上させることができる。
【００４７】
実施の形態２．
図９は、この発明の実施の形態２における復旧支援システムの例を示す図である。本実施の形態に示す例は、復旧支援システムが状態データだけでなく運転データも利用する点で実施の形態１で開示した例と相違する。
【００４８】
本実施の形態に示す監視センター１は、例えば記憶部９、受信部１０、学習部１１、判定部１２、送信部１３及び報知制御部１４を備える。本実施の形態における復旧支援システムの動作例は、図２及び図４に示す動作例と同様である。以下に、図２及び図４も参照し、本復旧支援システムの機能及び動作について詳細に説明する。図２は、復旧支援システムの学習機能の例を示す。
【００４９】
監視センター１では、トレースデータを受信したか否かが判定される（Ｓ１０１）。監視センター１には、監視センター１と通信可能なエレベーター装置から例えば定期的にトレースデータが送信される。また、何れかのエレベーター装置で故障が発生すると、そのエレベーター装置から監視センター１にトレースデータが送信される。各エレベーター装置から送信されたトレースデータは、監視センター１において受信部１０によって受信される。受信部１０によって受信されたトレースデータは、記憶部９に記憶される（Ｓ１０２）。受信部１０は、多数のエレベーター装置からトレースデータを受信する。記憶部９には、トレースデータが蓄積されていく。
【００５０】
上述したように、トレースデータには状態データと運転データとが含まれる。記憶部９には、第１状態データ、第２状態データ及び第３状態データが記憶される。また、記憶部９には、少なくとも、エレベーター装置で故障が発生した場合に、故障前の正常な状態から故障が発生するまでの運転内容を示す運転データが記憶される。本実施の形態に示す例では、記憶部９に、エレベーター装置の故障時の運転内容を示す運転データが記憶される。記憶部９に、エレベーター装置で故障が発生した場合に、その故障が発生する前の正常時の運転内容を示す運転データが記憶される。記憶部９に、エレベーター装置で故障が発生した場合に、その故障が発生した後の正常時の運転内容を示す運転データが記憶される。
【００５１】
学習部１１は、記憶部９に記載された状態データ及び運転データを機械学習する。監視センター１では、学習タイミングか否かが判定される（Ｓ１０３）。Ｓ１０３で学習タイミングであると判定されると、学習部１１による機械学習が行われ、学習結果が出力される（Ｓ１０４）。
【００５２】
本実施の形態に示す例では、学習部１１は、記憶部９に記載された第１状態データ、第２状態データ、第３状態データ及び運転データを機械学習する。例えば、学習部１１は、階層型クラスタリング或いはｋ−ｍｅａｎｓといった教師なし学習の手法を利用し、運転データに基づく状態データのパターン分類を行う。運転データを用いることにより、例えば、運転内容毎に状態データのパターン分類を行うことができる。このため、より詳細な学習結果を得ることができる。
【００５３】
図４は、復旧支援システムの判定機能の例を示す。監視センター１では、故障が発生したエレベーター装置からトレースデータを受信したか否かが判定される（Ｓ２０１）。何れかのエレベーター装置で故障が発生すると、そのエレベーター装置の通信装置８から監視センター１にトレースデータが送信される。通信装置８から送信されたトレースデータは、監視センター１において受信部１０によって受信される。Ｓ２０１で受信部１０によって受信されたトレースデータには、第１状態データ及び故障時の運転データが含まれる。
【００５４】
受信部１０によって故障時のトレースデータが受信されると、判定部１２は、そのトレースデータを送信してきたエレベーター装置の故障を直すために保守員を派遣する必要があるか否かを判定する（Ｓ２０２）。判定部１２は、Ｓ２０１で受信部１０が受信した第２状態データと学習部１１による学習結果とに加え、Ｓ２０１で受信部１０が受信した運転データにも基づいて上記判定を行う。例えば、判定部１２は、運転データに基づいて状態データのフィルタリングを行った上で、今回故障が発生したエレベーター装置の第２状態データのパターンが、学習部１１で分類されたどのパターンに最も近いかを特定する。判定部１２は、記憶部９に記憶されている当該エレベーター装置の故障前の運転データも用いても良い。
【００５５】
保守員を派遣する必要はないと判定部１２によって判定されると、報知制御部１４は、判定部１２がＳ２０２で判定した結果を報知器１７から報知させる（Ｓ２０３）。報知器１７は、例えば監視センター１に備えられる。また、保守員を派遣する必要はないと判定部１２によって判定されると、送信部１３は、故障を直すために必要な動作を行なわせるための第１指令を、トレースデータを送信してきたエレベーター装置に送信する（Ｓ２０４）。当該指令を受信したエレベーター装置では、故障を直すために必要な動作が行われる。例えば、当該指令を受信したエレベーター装置では、再起動が行われる。
【００５６】
保守員を派遣する必要があると判定部１２によって判定されると、報知制御部１４は、判定部１２がＳ２０２で判定した結果を報知器１７から報知させる（Ｓ２０５）。また、保守員を派遣する必要があると判定部１２によって判定されると、送信部１３は、保守員の派遣指令を保守員の拠点等に対して送信する（Ｓ２０６）。
【００５７】
本実施の形態に示す例であれば、エレベーター装置で故障が発生した場合に、その装置の故障を直すために保守員を派遣する必要があるか否かを精度良く判定できる。特に、本実施の形態に示す例では、エレベーター装置の正常時の状態データと故障時の状態データに加え、運転データも用いた機械学習が行われる。このため、判定精度を向上させることができる。
【００５８】
本実施の形態に示す例においても、実施の形態１で開示した例と同様に、Ｓ２０２でＮｏと判定された場合に判定結果の報知のみを行っても良い。また、Ｓ２０２でＹｅｓと判定された場合に、判定結果の報知のみを行っても良い。Ｓ２０４で指令の自動送信が行われる場合は、Ｓ２０３の処理は行われなくても良い。Ｓ２０６で保守員の派遣要請が自動的に行われる場合は、Ｓ２０５の処理は行われなくても良い。
【００５９】
図１０は、この発明の実施の形態２における復旧支援システムの他の例を示す図である。図１０は、監視センター１の例を示す。図１０に示す例では、監視センター１は、例えば記憶部９、受信部１０、学習部１１、判定部１２、送信部１３及び報知制御部１４に加え、判定部１６を更に備える。
【００６０】
以下に、図１１も参照し、本復旧支援システムの機能及び動作について詳細に説明する。図１１は、この発明の実施の形態２における復旧支援システムの他の動作例を示すフローチャートである。図１１は、復旧支援システムの学習機能の例を示す。図１１のＳ４０１からＳ４０６に示す処理は、図４のＳ２０１からＳ２０６に示す処理と同じである。Ｓ４０２で保守員を派遣する必要はないと判定部１２によって判定されると、送信部１３は、故障を直すために必要な動作を行なわせるための第１指令を、トレースデータを送信してきたエレベーター装置に送信する（Ｓ４０４）。当該第１指令を受信したエレベーター装置では、故障を直すために必要な動作が行われる。例えば、当該第１指令を受信したエレベーター装置では、再起動が行われる。
【００６１】
監視センター１では、Ｓ４０４で第１指令が送信されたエレベーター装置が復旧したか否かを判定する（Ｓ４０７）。Ｓ４０４で第１指令が送信されたエレベーター装置が復旧すると、送信部１３は、当該エレベーター装置に対して第２指令を送信する（Ｓ４０８）。第２指令は、当該エレベーター装置に予め定められた一定の動作を行わせるための指令である。第２指令を受信したエレベーター装置では、予め定められた一定の動作が行われる。上記一定の動作は、点検運転で行われる動作と同じ動作であっても良い。第２指令は、当該エレベーター装置で故障が発生した際に行われていた動作と同じ動作を行わせるための指令であっても良い。かかる場合、第２指令は、Ｓ４０１で受信部１０が受信した運転データに基づいて生成される。第２指令を受信したエレベーター装置では、故障が発生した際に行われていた動作と同じ動作が行われる。
【００６２】
監視センター１では、第２指令が送信されると、Ｓ４０８で送信部１３が第２指令を送信したエレベーター装置からトレースデータを受信したか否かが判定される（Ｓ４０９）。第２指令を受信したエレベーター装置では、第２指令に基づく動作が行われている時に通信装置８がトレースデータを取得する。このトレースデータには、第２指令に基づく動作が行われた時の状態を示す状態データが含まれる。以下においては、第２指令に基づく動作が行われた時の状態を示す状態データのことを第４状態データともいう。通信装置８は、第２指令に基づく動作が終了すると、第４状態データを含むトレースデータを監視センター１に送信する。通信装置８から送信された第４状態データを含むトレースデータは、監視センター１において受信部１０によって受信される（Ｓ４０９のＹｅｓ）。
【００６３】
第４状態データを含むトレースデータが受信部１０によって受信されると、判定部１６は、そのトレースデータを送信してきたエレベーター装置が正常であるか否かを判定する（Ｓ４１０）。判定部１６は、Ｓ４０９で受信部１０が受信した第４状態データと判定基準とに基づいて上記判定を行う。判定基準は、復旧後のエレベーター装置が正常であるか否かを判定部１６が判定するための基準である。第２指令が、予め定められた一定の動作を行わせるための指令であれば、判定基準は固定値でも良い。
【００６４】
監視センター１は生成部１５を更に備えても良い。生成部１５は、判定部１６が判定を行うための上記判定基準を生成する。図１２は、生成部１５及び判定部１６の機能を説明するための図である。
【００６５】
例えば、第２指令を受信したエレベーター装置において、点検運転で行われる動作と同じ動作が行われる場合を考える。かかる場合、受信部１０は、当該動作が行われている時のエレベーター装置の状態を示す状態データをＳ４０９で受信する。判定部１６は、この第４データに基づいて、エレベーター装置が正常であるか否かを判定する。
【００６６】
例えば、点検運転はエレベーター装置において定期的に行われる。このため、点検運転が行われている時のエレベーター装置の状態を示す状態データを取得することは容易である。例えば、点検運転時に取得された状態データは、記憶部９に記憶される。図１２は、過去に取得された正常時の状態データの分布を示す。具体的に、図１２は、点検運転時に取得された状態データの値とその割合とを示す。生成部１５は、定期的に行われる点検運転において取得された状態データに基づいて、判定基準を生成しても良い。例えば、生成部１５は、点検運転時に取得された状態データのうち、値が高い５％の状態データが故障と判定されるように判定基準を生成する。
【００６７】
図１２は、過去の正常時の状態データから生成部１５が判定基準として閾値Ｔｈ１を算出する例を示す。例えば、Ｓ４０９で受信部１０が値Ｖ１である第４状態データを受信すると、判定部１６は、復旧後のエレベーター装置が正常であると判定する。判定部１６は、Ｓ４０９で受信部１０が値Ｖ２である第４状態データを受信すると、復旧後のエレベーター装置が正常ではないと判定する。
生成部１５は、図１２に示す閾値Ｔｈ３を判定基準として生成しても良い。閾値Ｔｈ３は、過去の正常時の状態データからその割合に基づいて判定基準が算出される例を示す。
【００６８】
図１３は、生成部１５及び判定部１６の他の機能を説明するための図である。図１３に示す例は、図１２に示す例に、過去に取得された故障時の状態データの分布を追加したものに相当する。生成部１５は、過去の正常時の状態データと過去の故障時の状態データとに基づいて判定基準を生成しても良い。図１３は、曲線の交点に対応する値を閾値Ｔｈ２と算出する例を示す。例えば、Ｓ４０９で受信部１０が値Ｖ３である第４状態データを受信すると、判定部１６は、復旧後のエレベーター装置が正常であると判定する。判定部１６は、Ｓ４０９で受信部１０が値Ｖ４である第４状態データを受信すると、復旧後のエレベーター装置が正常ではないと判定する。
判定基準の生成方法は、上記例に限定されない。例えば、正常時の分布の割合と故障時の分布の割合のどちらが大きいかに基づいて判定基準を生成しても良い。また、判定結果についても正常か正常ではないかの２値ではなく、確率で求めても良い。例えば、図１３に示すように、値がＶ３である時の正常時の分布の割合を（Ｐ３；正常）とし、故障時の分布の割合を（Ｐ３；故障）とする。この時、値Ｖ３が正常である確率を以下のように求めても良い。
（確率）＝（Ｐ３；正常）／｛（Ｐ３；正常）＋（Ｐ３；故障）｝
【００６９】
第４状態データを送信してきたエレベーター装置が正常であるとＳ４１０で判定部１６によって判定されると、報知制御部１４は、判定部１６がＳ４１０で判定した結果を報知器１７から報知させる（Ｓ４１１）。一方、第４状態データを送信してきたエレベーター装置が正常でないとＳ４１０で判定部１６によって判定されると、報知制御部１４は、判定部１６がＳ４１０で判定した結果を報知器１７から報知させる（Ｓ４０５）。また、第４状態データを送信してきたエレベーター装置が正常でないとＳ４１０で判定部１６によって判定されると、送信部１３は、保守員の派遣指令を保守員の拠点等に対して送信する（Ｓ４０６）。
【００７０】
図１０から図１３に示す例であれば、エレベーター装置が復旧した後にエレベーター装置が正常か否かの確認を行うことができる。
【００７１】
図１４及び図１５は、生成部１５の他の機能を説明するための図である。例えば、図１３に示す例のように、生成部１５が判定基準を生成するために過去の故障時の状態データを利用する場合を考える。かかる場合は、図１３に示すような故障時の分布を得るために、記憶部９に、多くの故障時の状態データが存在することが望ましい。しかし、正常時の状態データと異なり、故障時の状態データは故障が実際に発生しなければ得ることができない。
【００７２】
ここでは、第２指令を受信したエレベーター装置において、故障が発生した際に行われていた動作と同じ動作が行われる場合を例に挙げる。かかる場合は、今回故障が発生した際に行われていた動作と同じ動作が過去に行われ、且つその際に故障が発生した時の状態を示す状態データが必要になる。生成部１５は、送信部１３が第２指令を送信したエレベーター装置から受信部１０が過去に受信した複数の状態データに基づいて、故障発生時の状態データに相当する状態データを生成しても良い。即ち、生成部１５は、当該エレベーター装置において第２指令に基づく動作と同じ動作が行われ且つ故障が発生した時の状態を示す状態データを、記憶部９に記憶されている複数の状態データから生成する。生成部１５は、その生成した状態データを利用して判定基準を作成する。
【００７３】
図１４（ａ）から図１４（ｃ）は、記憶部９に記憶された運行データを模式的に示す。図１４（ａ）は、エレベーター装置で故障が発生した時に行われていた運転内容を示す運行データの例を示す。即ち、図１４（ａ）に示す運行データは、Ｓ４０１で受信部１０によって受信された運行データである。図１４に示す例では、故障が発生したエレベーター装置において、故障が発生する直前に、かご２の停止、ドア開、ドア閉、ドア全閉前にドア開、ドア全閉、かご２の下降、かご２の停止及びドア開が順次行われている。
【００７４】
図１４（ｂ）及び図１４（ｃ）は、運行データの例を示す。図１４（ｂ）及び図１４（ｃ）に示す運行データは、故障が発生したエレベーター装置で過去に行われた運転内容を示す運行データである。即ち、図１４（ｂ）に示す運行データ及び図１４（ｃ）に示す運行データは、当該エレベーター装置で故障が発生する前に、既に記憶部９に記憶されている。図１４（ｂ）に示す例では、エレベーター装置において、かご２の停止、ドア開、ドア閉、ドア全閉前にドア開、ドア全閉及びかご２の上昇が順次行われている。この間に故障は発生していない。図１４（ｃ）に示す例では、エレベーター装置において、故障が発生する直前に、かご２の停止、ドア開、ドア全閉、かご２の下降、かご２の停止及びドア開が順次行われている。
【００７５】
生成部１５は、図１４に示すように、図１４（ｂ）に示す運行データの一部と図１４（ｃ）に示す運行データの一部とを組み合わせることにより、図１４（ａ）に示す運行データに相当する運行データを得る。記憶部９には、図１４（ｂ）に示す運行データに紐付けて状態データが記憶されている。記憶部９には、図１４（ｃ）に示す運行データに紐付けて状態データが記憶されている。生成部１５は、これらの状態データに基づいて、故障発生時の状態データに相当する故障時の状態データを生成する。
【００７６】
図１５（ａ）から図１５（ｃ）は、記憶部９に記憶された運行データを模式的に示す。図１５（ａ）に示す運行データは、図１４（ａ）に示す運行データと同じである。図１５（ｂ）に示す運行データは、図１４（ｂ）に示す運行データと同じである。図１５（ｃ）に示す例では、エレベーター装置において、かご２の停止、ドア開、ドア全閉、かご２の下降、かご２の停止、ドア開、ドア全閉が順次行われている。この間に故障は発生していない。
【００７７】
生成部１５は、図１５に示すように、図１５（ｂ）に示す運行データの一部と図１５（ｃ）に示す運行データの一部とを組み合わせることにより、図１５（ａ）に示す運行データに対応する正常時の運行データを得る。記憶部９には、図１５（ｂ）に示す運行データに紐付けて状態データが記憶されている。記憶部９には、図１５（ｃ）に示す運行データに紐付けて状態データが記憶されている。生成部１５は、これらの状態データに基づいて、故障発生時の状態データに対応する正常時の状態データを生成しても良い。
【００７８】
図１６は、この発明の実施の形態２における復旧支援システムの他の動作例を示すフローチャートである。図１６は、図１２及び図１３に示すような正常時の分布を得るために行われる動作例を示す。図１６に示す動作は、図１１のＳ４０８に示す処理の後に続く処理である。
【００７９】
送信部１３は、Ｓ４０４で第１指令が送信されたエレベーター装置が復旧すると、当該エレベーター装置に対して第２指令を送信する（Ｓ４０８）。例えば、第２指令は、当該エレベーター装置で故障が発生した際に行われていた動作と同じ動作を行わせるための指令である。また、送信部１３は、第２指令を送信したエレベーター装置以外のエレベーター装置に対し、第３指令を送信する（Ｓ４１２）。第３指令は、第２指令に基づく動作と同じ動作をエレベーター装置に行わせるための指令である。即ち、第３指令を受信したエレベーター装置では、第２指令を受信したエレベーター装置が行う動作と同じ動作が行われる。送信部１３は、例えば、第２指令を送信したエレベーター装置以外のエレベーター装置のうち、正常であり且つかご２に人が乗っていないエレベーター装置に対して第３指令を送信する。送信部１３は、休止中のエレベーター装置に対して第３指令を送信しても良い。休止中のエレベーター装置とは、かご２に人が乗っておらず、且つ呼びが登録されておらず、動作指令が割り当てられていない状態のエレベーター装置である。
【００８０】
監視センター１では、第３指令が送信されると、Ｓ４１２で送信部１３が第３指令を送信したエレベーター装置からトレースデータを受信したか否かが判定される（Ｓ４１３）。第３指令を受信したエレベーター装置では、第３指令に基づく動作が行われている時に通信装置８がトレースデータを取得する。このトレースデータには、第３指令に基づく動作が行われた時の状態を示す状態データが含まれる。以下においては、第３指令に基づく動作が行われた時の状態を示す状態データのことを第５状態データともいう。通信装置８は、第３指令に基づく動作が終了すると、第５状態データを含むトレースデータを監視センター１に送信する。通信装置８から送信された第５状態データを含むトレースデータは、監視センター１において受信部１０によって受信される（Ｓ４１３のＹｅｓ）。
【００８１】
生成部１５は、Ｓ４１３で受信部１０が受信した第５状態データに基づいて、判定基準を生成する（Ｓ４１４）。例えば、生成部１５は、Ｓ４１３で受信部１０が受信した第５状態データに基づいて、図１２或いは図１３に示すような正常時の分布を算出する。
【００８２】
本実施の形態で具体的に開示しない機能及び動作については、実施の形態１で開示された何れの機能及び動作を採用しても良い。
【００８３】
実施の形態１及び２では、エレベーター装置が監視センター１に接続される例について説明した。監視センター１に接続される装置は、エレベーター装置に限定されない。監視センター１に、保守員によって保守される他の装置が接続されても良い。
【００８４】
符号９〜１６に示す各部は、監視センター１が有する機能を示す。図１７は、監視センター１のハードウェア構成を示す図である。監視センター１は、ハードウェア資源として、例えばプロセッサ１８とメモリ１９とを含む処理回路を備える。記憶部９が有する機能はメモリ１９によって実現される。監視センター１は、メモリ１９に記憶されたプログラムをプロセッサ１８によって実行することにより、符号１０〜１６に示す各部の機能を実現する。
【００８５】
プロセッサ１８は、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ或いはＤＳＰともいわれる。メモリ１９として、半導体メモリ、磁気ディスク、フレキシブルディスク、光ディスク、コンパクトディスク、ミニディスク或いはＤＶＤを採用しても良い。採用可能な半導体メモリには、ＲＡＭ、ＲＯＭ、フラッシュメモリ、ＥＰＲＯＭ及びＥＥＰＲＯＭ等が含まれる。
【００８６】
監視センター１が有する各機能の一部又は全部をハードウェアによって実現しても良い。監視センター１の機能を実現するハードウェアとして、単一回路、複合回路、プログラム化したプロセッサ、並列プログラム化したプロセッサ、ＡＳＩＣ、ＦＰＧＡ、又はこれらの組み合わせを採用しても良い。
【産業上の利用可能性】
【００８７】
この発明に係る復旧支援システムは、装置の故障を直すために保守員を派遣する必要があるか否かを判定するために利用できる。
【符号の説明】
【００８８】
１  監視センター
２  かご
３  つり合いおもり
４  主ロープ
５  駆動綱車
６  電動機
７  制御装置
８  通信装置
９  記憶部
１０  受信部
１１  学習部
１２  判定部
１３  送信部
１４  報知制御部
１５  生成部
１６  判定部
１７  報知器
１８  プロセッサ
１９  メモリ
【図１】
0006620898.tif 000002
【図２】
0006620898.tif 000003
【図３】
0006620898.tif 000004
【図４】
0006620898.tif 000005
【図５】
0006620898.tif 000006
【図６】
0006620898.tif 000007
【図７】
0006620898.tif 000008
【図８】
0006620898.tif 000009
【図９】
0006620898.tif 000010
【図１０】
0006620898.tif 000011
【図１１】
0006620898.tif 000012
【図１２】
0006620898.tif 000013
【図１３】
0006620898.tif 000014
【図１４】
0006620898.tif 000015
【図１５】
0006620898.tif 000016
【図１６】
0006620898.tif 000017
【図１７】
0006620898.tif 000018